(57)【要約】【課題】流体機器からの風の揺らし効果を高めることを目的の一つとする。【解決手段】流体機器の気流吐出ユニットにおいて、気流が流入する流入口と、前記気流を流出する流出口と、前記流入口及び前記流出口を結ぶ第１の流路と、前記第１の流路の外側に備えられ２箇所の開口部を有し、前記開口部を通じて前記第１の流路に連通する第２の流路と、を備え、前記第２の流路は複数のリブを含む壁部によって規定される。前記第２の流路は前記第２の流路を通る流体の向きを変更する複数の折り曲げ部を含む壁部によって規定されてもよい。【選択図】図１２
2019051471.tif 000002
【特許請求の範囲】
【請求項１】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は複数のリブを含む壁部によって規定される、気流吐出ユニット。
【請求項２】
前記第２の流路は複数の角を有するように構成される、請求項１に記載の気流吐出ユニット。
【請求項３】
前記リブは、前記第２の流路を規定する第１の壁部及び前記第１の壁部に対向する第２の壁部に交互に形成される、請求項１又は２に記載の気流吐出ユニット。
【請求項４】
前記第２の流路は、断面でみたときに左右対称に２本備えられる、請求項１〜３の何れか１項に記載の気流吐出ユニット。
【請求項５】
前記流出口を構成する周壁部は、前記流入口の側に凹んだ一対の凹部が、上下方向の中央部に左右方向に並んで形成される、請求項４に記載の気流吐出ユニット。
【請求項６】
前記リブは、前記第２の流路の幅の２分の１より大きい凸状を有するように形成される、請求項１〜５の何れか１項に記載の気流吐出ユニット。
【請求項７】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は前記第２の流路を通る流体の向きを変更する複数の折り曲げ部を含む壁部によって規定される、気流吐出ユニット。
【請求項８】
前記第２の流路は複数の角を有するように構成される、請求項７に記載の気流吐出ユニット。
【請求項９】
ヘアドライヤーに装着される、請求項１〜８の何れか１項に記載の気流吐出ユニット。
【請求項１０】
請求項１〜９の何れか一項に記載の気流吐出ユニットと、
前記気流吐出ユニットの前記流入口に気流を流出する本体と、を備える流体機器。
【発明の詳細な説明】
【技術分野】
【０００１】
本発明の一実施形態は気流吐出ユニット及び流体機器に関する。
【背景技術】
【０００２】
近年、流体素子を利用した機器が知られている。流体素子とは、流体（液体、気体）を作動体とする制御要素の総称である。可動部なしに流体の運動のみによって流体の制御を行なうものは特に純流体素子と呼ばれる。
【０００３】
エアシャワー装置に取り付けられる純流体素子として、特許文献１に記載された技術が知られている。
【０００４】
特許文献１に記載された純流体素子は、流体流入口と、この流体流入口より流入した流体が横断する連結ダクトと、この連結ダクトを横断した流体が流出する流体噴出ノズルとを備え、噴出ノズルに流れる流体により生じた圧力差により連結ダクト内の流体を駆動し、この駆動によって発生した連結ダクト内の流体の流れによって噴出ノズルから流出する流体の流速が変動するようになっており、連結ダクトが、断面が曲線で構成された左右対称な２本の流路を有し、この２本の流路を、連結ダクトと流体流入口から流体噴出ノズルの間を流れる流体との合流点で合流させるものである。
【先行技術文献】
【特許文献】
【０００５】
【特許文献１】特開２００４−２７５９８５号公報
【発明の概要】
【発明が解決しようとする課題】
【０００６】
しかしながら、特許文献１に記載された技術では、気流の「揺らし」の効果や実感を得ることができないという問題があった。
【０００７】
例えば、手持ち型のドライヤーの場合、ユーザ自身が手動でドライヤー自体を上下又は左右に揺らすことでドライヤーからの風を上下又は左右に揺らしていた。これと同様の効果を気流の自励振動により得ようとする場合、気流を上下又は左右にゆっくりと揺らす必要があるが、特許文献１に記載された純流体素子ではこれを実現することが困難であった。すなわち、特許文献１に記載された純流体素子は除塵目的で用いることが意図され、大きく、強い気流が創出されてしまうので、叩くような気流となってしまい、気流の「揺らし」の効果や実感を得ることができなかった。
【０００８】
このような課題に鑑み、本発明の一実施形態は、流体機器からの気流の「揺らし」効果を高めることを目的の一つとする。
【課題を解決するための手段】
【０００９】
本発明の一実施形態に係る気流吐出ユニットは、気流が流入する流入口と、前記気流を流出する流出口と、前記流入口及び前記流出口を結ぶ第１の流路と、前記第１の流路の外側に備えられ２箇所の開口部を有し、前記開口部を通じて前記第１の流路と連通する第２の流路と、を備え、前記第２の流路は複数のリブを含む壁部によって規定される。
【００１０】
本発明の一実施形態に係る気流吐出ユニットの前記第２の流路は複数の角を有するように構成されてもよい。
【００１１】
本発明の一実施形態に係る気流吐出ユニットの前記リブは、前記第２の流路を規定する第１の壁部及び前記第１の壁部に対向する第２の壁部に交互に形成されてもよい。
【００１２】
本発明の一実施形態に係る気流吐出ユニットの前記第２の流路は、断面でみたときに左右対称に２本備えられてもよい。
【００１３】
本発明の一実施形態に係る気流吐出ユニットの前記流出口を構成する周壁部は、前記流入口の側に凹んだ一対の凹部が、上下方向の中央部に左右方向に並んで形成されてもよい。
【００１４】
本発明の一実施形態に係る気流吐出ユニットの前記リブは、前記第２の流路の幅の２分の１より大きい凸状を有するように形成されてもよい。
【００１５】
本発明の一実施形態に係る気流吐出ユニットの隣接する前記リブの間の壁部は直線で形成される壁部を含んでもよい。また、本発明の一実施形態に係る気流吐出ユニットの隣接する前記リブの間の壁部は曲線で形成される壁部を含んでもよい。
【００１６】
本発明の他の実施形態に係る気流吐出ユニットは、気流が流入する流入口と、前記気流を流出する流出口と、前記流入口及び前記流出口を結ぶ第１の流路と、前記第１の流路の外側に備えられ、２箇所の開口部を有し、前記開口部を通じて前記第１の流路と連通する第２の流路と、を備え、前記第２の流路は前記第２の流路を通る流体の向きを変更する複数の折り曲げ部を含む壁部によって規定される。
【００１７】
本発明の他の実施形態に係る気流吐出ユニットの前記第２の流路は複数の角を有するように構成されてもよい。
【００１８】
本発明の一実施形態に係る気流吐出ユニットはドライヤーに装着されてもよい。
【００１９】
また、本発明の一実施形態に係る流体機器は、本発明の一実施形態に係る気流吐出ユニットと、前記気流吐出ユニットの前記流入口に流体を流出する本体と、を備える。
【図面の簡単な説明】
【００２０】
【図１】本発明の一実施形態に係る流体機器の気流吐出ユニットを本体に装着する様子を示す斜視図である。
【図２】本発明の一実施形態に係る流体機器の気流吐出ユニットを本体に装着する様子を示す平面図である。
【図３】本発明の一実施形態に係る流体機器の気流吐出ユニットを本体に装着する様子を示す側面図である。
【図４】本発明の一実施形態に係る流体機器の気流吐出ユニットを本体に装着した様子を示す斜視図である。
【図５】本発明の一実施形態に係る流体機器の気流吐出ユニットを本体に装着した様子を示す平面図である。
【図６】本発明の一実施形態に係る流体機器の気流吐出ユニットを本体に装着した様子を示す側面図である。
【図７】本発明の一実施形態に係る流体機器の気流吐出ユニットを本体に装着した様子を示す正面図である。
【図８】本発明の一実施形態に係る流体機器の気流吐出ユニットの流出口側の構成を示す斜視図である。
【図９】本発明の一実施形態に係る流体機器の気流吐出ユニットを流出口側からみた断面図である。
【図１０】本発明の一実施形態に係る流体機器の気流吐出ユニットの流入口を示す分解斜視図である。
【図１１】本発明の一実施形態に係る流体機器の気流吐出ユニットの流入口側の構成を示す断面斜視図である。
【図１２】本発明の一実施形態に係る流体機器の気流吐出ユニットを流入口側の断面図である。
【図１３】本発明の第二の実施形態に係る流体機器の気流吐出ユニットの流入口側の構成を示す断面斜視図である。
【図１４】本発明の第二の実施形態に係る流体機器の気流吐出ユニットを流入口側の断面図である。
【発明を実施するための形態】
【００２１】
以下、本発明の実施の形態を、図面等を参照しながら説明する。但し、本発明は多くの異なる態様で実施することが可能であり、以下に例示する実施の形態の記載内容に限定して解釈されるものではない。図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。さらに各要素に対する「第１」、「第２」と付記された文字は、各要素を区別するために用いられる便宜的な標識であり、特段の説明がない限りそれ以上の意味を有さない。
【００２２】
本明細書において、ある部材又は領域が他の部材又は領域の「上に（又は下に）」あるとする場合、特段の限定がない限りこれは他の部材又は領域の直上（又は直下）にある場合のみでなく他の部材又は領域の上方（又は下方）にある場合を含み、すなわち、他の部材又は領域の上方（又は下方）において間に別の構成要素が含まれている場合も含む。
【００２３】
（第１実施形態）
＜流体機器の構成＞
図１は、本発明の一実施形態に係る流体機器の気流吐出ユニットを本体に装着する様子を示す斜視図である。図２は、本発明の一実施形態に係る流体機器の気流吐出ユニットを本体に装着する様子を示す平面図である。図３は、本発明の一実施形態に係る流体機器の気流吐出ユニットを本体に装着する様子を示す側面図である。
【００２４】
本発明の一実施形態に係る流体機器１００は、本体１１０と気流吐出ユニット１２０を有する。
【００２５】
本体１１０は、この例では手持ち型のドライヤーである。他の例として、本体１１０は、固定型のドライヤーであってもよい。また、本体１１０は、髪の毛に送風する装置以外の流体機器（例えば、乾燥機、扇風機、ペット用のドライヤー、ミスト発生機器等）であってもよい。本体１１０は、気流吐出ユニット１２０に気流を流出する装置であればよい。
【００２６】
図１乃至図３に示すように、気流吐出ユニット１２０は、突出部１２６が本体１１０の風吹き出し口１１２に嵌合されて本体１１０に装着される。気流吐出ユニット１２０は、本体１１０から送られてくる気流の向きを変更させる機構を有する。気流吐出ユニット１２０の構造の詳細は後述する。
【００２７】
図４は、本発明の一実施形態に係る流体機器の気流吐出ユニットを本体に装着した様子を示す斜視図である。図５は、本発明の一実施形態に係る流体機器の気流吐出ユニットを本体に装着した様子を示す平面図である。図６は、本発明の一実施形態に係る流体機器の気流吐出ユニットを本体に装着した様子を示す側面図である。図７は、本発明の一実施形態に係る流体機器の気流吐出ユニットを本体に装着した様子を示す正面図である。
【００２８】
図４乃至図６に示すように、気流吐出ユニット１２０は、本体１１０の風吹き出し口１１２の先に取り付けて使用される。この例では、気流吐出ユニット１２０は、本体１１０の風吹き出し口１１２に直接取り付けて使用される例を示しているが、これに限られず、気流吐出ユニット１２０と本体１１０との間に他の部材を介在させて取り付けられるようにしてもよい。また、気流吐出ユニット１２０の本体１１０に対する取付角度（風吹き出し口１１２の中心の周りの相対角度）は、本実施形態で説明するものに限られず、本実施形態で説明する取付角度に対して±９０°の取付角度としてもよい。
【００２９】
図５に示すように、気流吐出ユニット１２０は、送風方向にわずかにテーパー形状に形成されている。しかし、気流吐出ユニット１２０は、送風方向に逆テーパー形状に形成してもよいし、円柱形状に形成してもい。
【００３０】
図６に示すように、気流吐出ユニット１２０の縦方向の幅Ｗ１は、本体１１０の風吹き出し口１１２の縦方向の幅Ｗ２よりも大きく形成され、本体１１０の風吹き出し口１１２の縦方向の幅よりも気流吐出ユニット１２０の流出口１２４の縦方向の幅の方が大きくなるように形成される。
【００３１】
図７に示すように、気流吐出ユニット１２０の内部は空洞となっており、本体１１０から送風される気流が流出口１２４から外部へ送風されるための流路となっている。
【００３２】
＜流体機器の気流吐出ユニットの構成＞
〔流出口の構成〕
図８は、本発明の一実施形態に係る流体機器の気流吐出ユニットの流出口側の構成を示す斜視図である。図９は、本発明の一実施形態に係る流体機器の気流吐出ユニットを流出口側からみた断面図である。
【００３３】
図８に示すとおり、流出口１２４を規定する外周部１２３は、二箇所の凹部１２７を有する。二箇所の凹部１２７を設けることにより、後述する、上方及び下方への風向きの切り替えをよりスムーズに行うことができる。
【００３４】
すなわち、後述のとおり、本発明の一実施形態に係る流体機器の気流吐出ユニット１２０は、上部１４０に沿った気流Ｘと下部１４２に沿った気流Ｙを継続的に切り替えて気流を上下に揺らす。このとき、気流はコアンダ効果により壁に沿って進もうとする。そのため、左右に凹部１２７がなく左右にも壁が存在する場合には、気流Ｘ又は気流Ｙの一部は凹部１２７に代わって存する左右の壁に沿って進み、気流Ｘ又は気流Ｙが分散する。
【００３５】
そこで、本発明の一実施形態に係る流体機器の気流吐出ユニット１２０の流出口１２４においては、気流を揺らそうとする方向（この例では上下）に垂直な方向（この例では左右）に並びそれぞれ流入口１２２側に凹んだ一対の台形状の凹部１２７を上下方向中央部に備えるように外周部１２３を形成することで、気流を揺らそうとする方向と異なる方向への気流の分散を防ぎ、気流の揺らしの効果をより強く得ることができる。なお、凹部１２７を台形状に構成することは必須ではなく、三角形状に構成してもよく、Ｕ字形状に構成してもよい。また、気流を左右に揺らそうとする場合には、一対の凹部１２７が外周部１２３の左右方向中央部に上下方向に並ぶように、気流吐出ユニット１２０の本体１１０に対する取付角度を調整すればよい。
【００３６】
図９に示すとおり、流出口１２４は楕円形状に形成される。断面でみたときの流出口１２４の面積Ａ２は、流入口１２２の面積Ａ１よりも大きくなっている。流出口１２４付近の気流吐出ユニット１２０の内壁は、流出口１２４に向かって逆テーパー形状に形成される。気流はコアンダ効果により壁に沿って進むため、気流吐出ユニット１２０をこのような形状とすることで、広く揺れる風を得ることができる。
【００３７】
〔流出口の構成〕
図１０は、本発明の一実施形態に係る流体機器の気流吐出ユニットの流入口を示す分解斜視図である。
【００３８】
図１０に示すように、気流吐出ユニット１２０の突出部１２６は、本体１１０からの気流が流入する流入口１２２となっている。この例では、突出部１２６は、ネジ止めにより流出口１２４側の部材と組み合わされ、気流吐出ユニット１２０の突出部１２６が本体１１０の風吹き出し口１１２に嵌合されることで、気流吐出ユニット１２０が本体１１０に装着される。
【００３９】
〔内部の流路の構成〕
図１１は、本発明の一実施形態に係る流体機器の気流吐出ユニットの流入口側の構成を示す断面斜視図である。図１２は、本発明の一実施形態に係る流体機器の気流吐出ユニットの流入口側の断面図である。
【００４０】
本発明の一実施形態に係る流体機器１００の気流吐出ユニット１２０は、流入口１２２の外周に沿って２本の流路２００を備える。流路２００は、複数のリブ２１０を含む壁部２３０により規定され、２箇所の開口部を有する。図１２に示すように、流路２００は、この例では、断面でみたときに左右に２本、略対称に備えられる。
【００４１】
隣接するリブ２１０の間の壁部２３０は、図１２に示す断面でみたときに直線で構成してもよく、曲線で構成してもよい。隣接するリブ２１０の間の壁部２３０が直線で構成されても、曲線で構成されても、リブ２１０の存在により、流路２００は複数の角を有するように構成される。それにより、流路２００は細かく折れ曲がった気流を発生させる。
【００４２】
リブ２１０は、この例では、図１２に示すように、流入口側の断面でみたときに流路２００を規定する左側の壁部及び流路を規定する右側の壁部に交互に７個形成されている。リブ２１０の数や配置はこれに限られず、気流吐出ユニット１２０や流路２００の大きさに対応させて決定するとよい。具体的には、リブ２１０の数は、流路２００内の流体の抵抗が大きくなりすぎないように配慮しつつ、可能な限り流路２００の流路長が長くなるように決定するとよい。また、リブ２１０の配置は左右交互でなくてもよい。
【００４３】
また、リブ２１０は、流入口の断面でみたときに流路の幅Ｗの２分の１より大きい凸状を有するように形成される。このような大きさに形成することで、流路２００を通る流体が気流吐出ユニット１２０の外周の曲線に沿った流れになることを防ぎ、より確実に流路長を長くすることができる。
【００４４】
流路２００は、気流吐出ユニット１２０と一体的に形成してもよいし、気流吐出ユニット１２０とは別に製造したうえで、気流吐出ユニット１２０に装着させてもよい。
【００４５】
＜気流吐出ユニット１２０を取り付けた流体機器１００の作用＞
流入口１２２から気流吐出ユニット１２０に流入した気流は、コアンダ効果により、流出口１２４の上部１４０又は下部１４２のいずれか一方に沿って進む。コアンダ効果とは、気体や液体の噴流のそばに湾曲した壁があると、噴流はその壁の曲面に沿った方向を流れようとする現象をいう。
【００４６】
例えば上部１４０に沿って気流が進んでいるとき、開口部Ｐ２及び開口部Ｐ４付近の圧力は、開口部Ｐ１及び開口部Ｐ３付近の圧力に比べて低圧となる。気体は圧力が高い方から低い方へ流れるため、左側の流路２００では、開口部Ｐ１から開口部Ｐ２の方向へ、また、右側の流路２００では、開口部Ｐ３から開口部Ｐ４の方向へ気流が生じる。
【００４７】
これが継続して、開口部Ｐ２及び開口部Ｐ４付近の圧力と、開口部Ｐ１及び開口部Ｐ３付近の圧力とが逆転し、開口部Ｐ２及び開口部Ｐ４付近の圧力が、開口部Ｐ１及び開口部Ｐ３付近の圧力に比べて高圧となると、上部１４０に沿って進んでいた気流は下部１４２に沿って進むようになる。
【００４８】
下部１４２に沿って気流が進むようになると、開口部Ｐ１及び開口部Ｐ３付近の圧力は、開口部Ｐ２及び開口部Ｐ４付近の圧力に比べて低圧となる。気体は圧力が高い方から低い方へ流れるため、左側の流路２００では開口部Ｐ２から開口部Ｐ１の方向へ、また、右側の流路２００では開口部Ｐ４から開口部Ｐ３の方向へ気流が生じる。
【００４９】
これが継続して、開口部Ｐ２及び開口部Ｐ４付近の圧力と、開口部Ｐ１及び開口部Ｐ３付近の圧力とが逆転し、開口部Ｐ１及び開口部Ｐ３付近の圧力が、開口部Ｐ２及び開口部Ｐ４付近の圧力に比べて高圧となると、下部１４２に沿って進んでいた気流は再び上部１４０に沿って進むようになる。
【００５０】
この動作が繰り返されることで、上部１４０に沿った気流Ｘ及び下部１４２に沿った気流Ｙが継続的に一定の速度で交互に切り替わり、気流吐出ユニット１２０を通過する気流が上部１４０の方向及び下部１４２の方向にゆっくりと揺らされる。
【００５１】
本発明の一実施形態に係る流体機器１００の気流吐出ユニット１２０の流路２００は、流路２００を規定する壁部２３０に複数のリブ２１０が存在することにより、細かく折れ曲げられている。よって、小型化された気流吐出ユニットにおいても流路長を長くすることができる。流路２００の流路長が長くなると、上述した圧力の切り替わりによる気流の方向の切り替わりがゆっくりと行われるようになる。したがって、気流吐出ユニット１２０を横断する気流が上部１４０の方向及び下部１４２の方向にゆっくりと揺らされ、揺らしの効果を高めることができる。
【００５２】
ところで、気流の向きを瞬時にはっきり切り替えることに主眼が置かれている従来技術を用いると、流路が曲線で形成されるため、気流が強化され、気流の切り替えが速くなってしまう。このため、使用者は、体感的に風が広がっているだけに感じてしまう。
【００５３】
しかしながら、本発明の一実施形態に係る流体機器１００の気流吐出ユニット１２０は、上述の構造を備える流路２００を有しているため、気流がゆっくりと揺らされる。したがって、上記従来技術を用いる場合に比して、気流がゆっくり揺らされることにより、使用者は体感的に風の「揺らぎ」を感じ易くなる。
【００５４】
このように、本発明の一実施形態に係る流体機器１００の気流吐出ユニット１２０を用いると、気流吐出ユニット１２０を横断する気流が上部１４０の方向及び下部１４２の方向にゆっくりと揺らされるので、気流の強さが均一で広がった風を得ることができ、流体機器からの風の「揺らし」効果を得ることができる。
【００５５】
（第２実施形態）
図１３は、本発明の第二の実施形態に係る流体機器の気流吐出ユニットの流入口側の構成を示す断面斜視図である。図１４は、本発明の第二の実施形態に係る流体機器の気流吐出ユニットを流入口側の断面図である。
【００５６】
本発明の第二の実施形態に係る流体機器５００の気流吐出ユニット５２０は、流体機器１００の気流吐出ユニット１２０と、流路の形状、特に壁部の形状及び配置の仕方において異なる。
【００５７】
本発明の第二の実施形態に係る流体機器の気流吐出ユニット５２０は流路６００を備える。流路６００は、気流吐出ユニット５２０の外壁６０５及び壁部６３０により規定される。流路６００は、壁部６３０のみにより規定されてもよい。図１２に示すように、流路２００は、この例では、断面でみたときに左右に２本、略対称に備えられる。
【００５８】
流路６００は、この例では２回折り曲げられた形状に形成されている。具体的には、流路６００は、まず、開口部Ｐ１及び開口部Ｐ５から気流吐出ユニット５２０の外周に沿って形成され、折り曲げ部Ｐ２及び折り曲げ部Ｐ６で折り曲げられて略１８０度方向が転換され、さらに、折り曲げ部Ｐ３及び折り曲げ部Ｐ７で折り曲げられて略１８０度方向が転換され、開口部Ｐ４及び開口部Ｐ８まで形成される。流路６００を折り曲げる回数はこれに限られず、気流吐出ユニット５２０や流路６００の大きさに対応させて決定するとよい。具体的には、流路６００を折り曲げる回数は、流路６００内の流体の抵抗が大きくなりすぎないように配慮しつつ、可能な限り流路６００の流路長が長くなるように決定するとよい。また、折り曲げ部で方向が転換される角度は１８０度でなくてもよく、気流吐出ユニット５２０の大きさや形状に応じて決定されればよい
【００５９】
壁部６３０は、図１４に示す断面でみたときに直線で構成してもよく、曲線で構成してもよい。壁部６３０が直線で構成されても、曲線で構成されても、折り曲げ部Ｐ２、Ｐ３、Ｐ６、Ｐ７の存在により、流路６００は複数の角を有するように構成される。それにより、流路６００は大きく折れ曲がった気流を発生させる。
【００６０】
流路６００は、気流吐出ユニット５２０と一体的に形成してもよいし、気流吐出ユニット５２０とは別に製造したうえで、気流吐出ユニット５２０に装着させてもよい。
【００６１】
＜気流吐出ユニット５２０を取り付けた流体機器の作用＞
流入口１２２から気流吐出ユニット５２０に流入した気流は、コアンダ効果により、流出口１２４の上部１４０又は下部１４２のいずれか一方に沿って進む。例えば流出口１２４の上部１４０に沿って気流が進んでいるとき、開口部Ｐ４及び開口部Ｐ８付近の圧力は、開口部Ｐ１及び開口部Ｐ５付近の圧力に比べて低圧となる。気体は圧力が高い方から低い方へ流れるため、左側の流路６００では開口部Ｐ１から開口部Ｐ４の方向へ、また、右側の流路６００では開口部Ｐ５から開口部Ｐ８の方向へ気流が生じる。
【００６２】
これが継続して、開口部Ｐ４及び開口部Ｐ８付近の圧力と、開口部Ｐ１及び開口部Ｐ５付近の圧力とが逆転し、開口部Ｐ４及び開口部Ｐ８付近の圧力が、開口部Ｐ１及び開口部Ｐ５付近の圧力に比べて高圧となると、上部１４０に沿って進んでいた気流は下部１４２に沿って進むようになる。
【００６３】
下部１４２に沿って気流が進むようになると、開口部Ｐ１及び開口部Ｐ５付近の圧力は、開口部Ｐ４及び開口部Ｐ８付近の圧力に比べて低圧となる。気体は圧力が高い方から低い方へ流れるため、左側の流路６００では開口部Ｐ４から開口部Ｐ１の方向へ、また、右側の流路６００では開口部Ｐ８から開口部Ｐ５の方向へ気流が生じる。
【００６４】
これが継続して、開口部Ｐ４及び開口部Ｐ８付近の圧力と、開口部Ｐ１及び開口部Ｐ５付近の圧力とが逆転し、開口部Ｐ１及び開口部Ｐ５付近の圧力が、開口部Ｐ４及び開口部Ｐ８付近の圧力に比べて高圧となると、下部１４２に沿って進んでいた気流は再び上部１４０に沿って進むようになる。
【００６５】
この動作が繰り返されることで、上部１４０に沿った気流Ｘ及び下部１４２に沿った気流Ｙが継続的に一定の速度で交互に切り替わり、気流吐出ユニット５２０を通過する気流が上部１４０の方向及び下部１４２の方向にゆっくりと揺らされる。
【００６６】
本発明の一実施形態に係る流体機器の気流吐出ユニット５２０の流路６００は、大きく気流の方向を変える折り曲げ部を複数備え、複数回折り曲げられた形状に形成されていることにより、小型化された気流吐出ユニットにおいても流路長を長くすることができる。流路６００の流路長が長くなると、上述した圧力の切り替わりによる気流の方向の切り替わりがゆっくりと行われるようになる。したがって、気流吐出ユニット５２０を横断する気流が上部１４０の方向及び下部１４２の方向にゆっくりと揺らされ、揺らしの効果を得ることができる。
【００６７】
上述の実施形態に係る流体機器１００の気流吐出ユニット１２０、５２０は、以下の特徴を有する。
【００６８】
流体機器１００の気流吐出ユニット１２０（５２０）は、気流が流入する流入口１２２と、気流を流出する流出口１２４と、流入口１２２及び流出口１２４を結ぶ第１の流路と、この第１の流路の外側に備えられ、２箇所の開口部を有し、この２箇所の開口部を通じて上記の第１の流路と連通する第２の流路２００（６００）とを備え、第２の流路２００（６００）の２箇所の開口部間の距離Ｌ1は、第１の流路を形成する周壁に対して平行な線であり２箇所の開口部を結ぶ仮想線の長さＬ2に比して長い。
【００６９】
以上、本発明の好ましい実施形態について詳細に説明したが、本発明の権利範囲はこれに限定されない。
【００７０】
例えば、本発明の一実施形態に係る流体機器１００の気流吐出ユニット１２０、５２０を用いると、毛量や繊維量が多い場合や毛や繊維が長い場合にも内側の毛や繊維まで効率よく送風することができ、また、使用者が風の動きを体感できるので、特に、ヘアドライヤー、乾燥機ペット用のドライヤー等に好適であるが、これに類似する需要がある他の物にも適用することができる。
【００７１】
また、本発明の一実施形態に係る流体機器１００の気流吐出ユニット１２０、５２０を用いると、やさしく広がって揺れる風を送ることができるので、特に、扇風機等に好適であるが、これに類似する需要がある他の物にも適用することができる。
【００７２】
また、本発明の一実施形態に係る気流吐出ユニットは、本体１１０の風吹き出し口１１２の先に取り付けるアタッチメントにするのみならず、流体機器１００の風吹き出し口１１２に内蔵させてもよい。
【００７３】
また、本発明の一実施形態に係る流体機器１００の気流吐出ユニット１２０、５２０の左右の流路２００、６００を左右対称にすることで気流の制御が容易になるが必須ではなく、上方及び下方への気流の向きの切り替わりに支障が無い範囲で左右の流路２００、６００を非対称にしてもよい。さらに、２本の流路２００、６００を設けることで気流を上下に効果的に揺らすことができるが必須ではなく、上方及び下方への気流の向きの切り替わりを実現できるのであれば、流路２００、６００を１本としてもよい。
【符号の説明】
【００７４】
流体機器：１００、本体：１１０、風吹き出し口：１１２、気流吐出ユニット：１２０、５２０、流入口：１２２、外周部：１２３、流出口：１２４、突出部：１２６、凹部：１２７、上部：１４０、下部：１４２、流路：２００、６００、リブ：２１０、壁部：２３０、６３０、外壁：６０５
【図１】
2019051471.tif 000003
【図２】
2019051471.tif 000004
【図３】
2019051471.tif 000005
【図４】
2019051471.tif 000006
【図５】
2019051471.tif 000007
【図６】
2019051471.tif 000008
【図７】
2019051471.tif 000009
【図８】
2019051471.tif 000010
【図９】
2019051471.tif 000011
【図１０】
2019051471.tif 000012
【図１１】
2019051471.tif 000013
【図１２】
2019051471.tif 000014
【図１３】
2019051471.tif 000015
【図１４】
2019051471.tif 000016
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は複数のリブを含む壁部によって規定され、前記流出口を規定する外周部によって前記第２の流路の前記流出口側が閉塞されている、気流吐出ユニット。
【請求項２】
前記第２の流路は複数の角を有するように構成される、請求項１に記載の気流吐出ユニット。
【請求項３】
前記リブは、前記第２の流路を規定する第１の壁部及び前記第１の壁部に対向する第２の壁部に交互に形成される、請求項１又は２に記載の気流吐出ユニット。
【請求項４】
前記第２の流路は、断面でみたときに左右対称に２本備えられる、請求項１〜３の何れか１項に記載の気流吐出ユニット。
【請求項５】
前記流出口を構成する周壁部は、前記流入口の側に凹んだ一対の凹部が、上下方向の中央部に左右方向に並んで形成される、請求項４に記載の気流吐出ユニット。
【請求項６】
前記リブは、前記第２の流路の幅の２分の１より大きい凸状を有するように形成される、請求項１〜５の何れか１項に記載の気流吐出ユニット。
【請求項７】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は前記第２の流路を通る気流の向きを変更する複数の折り曲げ部を含む壁部によって規定され、前記流出口を規定する外周部によって前記第２の流路の前記流出口側が閉塞されている、気流吐出ユニット。
【請求項８】
前記第２の流路は複数の角を有するように構成される、請求項７に記載の気流吐出ユニット。
【請求項９】
ヘアドライヤーに装着される、請求項１〜８の何れか１項に記載の気流吐出ユニット。
【請求項１０】
請求項１〜９の何れか一項に記載の気流吐出ユニットと、
前記気流吐出ユニットの前記流入口に気流を流出する本体と、を備える流体機器。
【請求項１１】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は複数のリブを含む壁部によって規定され、
前記第２の流路の前記２箇所の開口部の間の距離Ｌ１は、前記２箇所の開口部を結ぶ、前記第１の流路を形成する周壁に対して平行な仮想線の長さＬ２に比して長い、気流吐出ユニット。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は複数のリブを含む壁部によって規定され、前記流出口を規定する外周部によって前記第２の流路の前記流出口側が閉塞されている、気流吐出ユニット。
【請求項２】
前記第２の流路は複数の角を有するように構成される、請求項１に記載の気流吐出ユニット。
【請求項３】
前記リブは、前記第２の流路を規定する第１の壁部及び前記第１の壁部に対向する第２の壁部に交互に形成される、請求項１又は２に記載の気流吐出ユニット。
【請求項４】
前記第２の流路は、断面でみたときに左右対称に２本備えられる、請求項１〜３の何れか１項に記載の気流吐出ユニット。
【請求項５】
前記流出口を規定する外周部は、前記流入口の側に凹んだ一対の凹部が、上下方向の中央部に左右方向に並んで形成される、請求項４に記載の気流吐出ユニット。
【請求項６】
前記リブは、前記第２の流路の幅の２分の１より大きい凸状を有するように形成される、請求項１〜５の何れか１項に記載の気流吐出ユニット。
【請求項７】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は前記第２の流路を通る気流の向きを変更する複数の折り曲げ部を含む壁部によって規定され、前記流出口を規定する外周部によって前記第２の流路の前記流出口側が閉塞されている、気流吐出ユニット。
【請求項８】
前記第２の流路は複数の角を有するように構成される、請求項７に記載の気流吐出ユニット。
【請求項９】
ヘアドライヤーに装着される、請求項１〜８の何れか１項に記載の気流吐出ユニット。
【請求項１０】
請求項１〜９の何れか一項に記載の気流吐出ユニットと、
前記気流吐出ユニットの前記流入口に気流を流出する本体と、を備える流体機器。
【請求項１１】
気流が流入する流入口と、
前記気流を流出する流出口と、
前記流入口及び前記流出口を結ぶ第１の流路と、
前記第１の流路の外側に備えられ、２箇所の開口部を有し、前記開口部を通じて前記第１の流路と連通する第２の流路と、を備え、
前記第２の流路は複数のリブを含む壁部によって規定され、
前記第２の流路の距離であって、前記２箇所の開口部の間の距離である距離Ｌ１は、前記２箇所の開口部を結ぶ、前記第１の流路を形成する周壁に対して平行な仮想線の長さＬ２に比して長い、気流吐出ユニット。